(57)【要約】【課題】オプションモジュールの拡張を容易に実行することができる電話システム及びモジュール管理方法を提供すること。【解決手段】本発明にかかる電話システムは、複数の電話機２０と主装置１０を有する。電話機２０は、電話機２０の識別情報と、オプションモジュール２２の識別情報を主装置１０に送信する。主装置１０は、電話機２０の識別情報とオプションモジュール２２の識別情報に基づいて、当該電話機２０の構成及び機能を判定する。さらに、主装置１０は、判定結果に基づいて、当該電話機２０の構成及び機能に対応した制御プログラムに更新する。オプションモジュール２２が処理を実行する場合に、主装置１０は、オプションモジュール２２から処理に応じて出力される信号を取得し、更新後の制御プログラムに基づいて、当該取得した信号を変換して、対応する電話機２０に出力する。【選択図】図３
2011015002.tif 000002
【特許請求の範囲】
【請求項１】
オプションモジュールを拡張可能な複数の電話機と、前記電話機と通信回線を介して接続された主装置とを備えた電話システムであって、
前記電話機は、
当該電話機を識別する電話機識別情報と、当該電話機に接続されたオプションモジュールを識別するオプションモジュール識別情報を、前記主装置に送信する手段を有し、
前記主装置は、
送信された前記電話機識別情報と、前記オプションモジュール識別情報に基づいて、当該電話機の構成及び機能を判定する手段と、
判定結果に基づいて、当該電話機の構成及び機能に対応した制御プログラムに更新する手段と、
前記電話機のオプションモジュールが処理を実行する場合に、当該オプションモジュール又は電話機本体から前記処理に応じて出力される信号を取得し、更新後の制御プログラムに基づいて、当該取得した信号を変換して、対応する電話機本体又はオプションモジュールに出力する手段とを有する電話システム。
【請求項２】
前記電話機は、前記電話機本体が、前記オプションモジュールから前記オプションモジュール識別情報を取得して、前記主装置に送信することを特徴とする請求項１記載の電話システム。
【請求項３】
前記電話機は、前記オプションモジュールが前記電話機本体を介さずに前記オプションモジュール識別情報を前記主装置に送信することを特徴とする請求項１記載の電話システム。
【請求項４】
前記電話機は、前記電話機識別情報及び前記オプションモジュール識別情報を当該電話機の起動処理時に、前記主装置に送信することを特徴とする請求項１〜３いずれかに記載の電話システム。
【請求項５】
前記オプションモジュールは、前記電話機の入出力装置であることを特徴とする請求項１〜４いずれかに記載の電話システム。
【請求項６】
主装置に接続された電話機において拡張されるオプションモジュールの管理方法であって、
前記主装置の制御プログラムを更新する場合に、前記主装置が、前記電話機を識別する電話機識別情報と、当該電話機に接続されたオプションモジュールを識別するオプションモジュール識別情報を取得するステップと、
主装置が取得した前記電話機識別情報と、前記オプションモジュール識別情報に基づいて、当該電話機の構成及び機能を判定するステップと、
判定結果に基づいて、当該電話機の構成及び機能に対応した制御プログラムに更新するステップと、
前記電話機のオプションモジュールが処理を実行する場合に、前記主装置が当該オプションモジュール又は電話機本体から前記処理に応じて出力される信号を取得し、更新後の制御プログラムに基づいて、当該取得した信号を変換して、対応する電話機本体又はオプションモジュールに出力するステップとを備えたモジュール管理方法。
【請求項７】
前記電話機は、前記電話機本体が、前記オプションモジュールから前記オプションモジュール識別情報を取得して、前記主装置に送信することを特徴とする請求項６記載のモジュール管理方法。
【請求項８】
前記電話機は、前記オプションモジュールが前記電話機本体を介さずに前記オプションモジュール識別情報を前記主装置に送信することを特徴とする請求項６記載のモジュール管理方法。
【請求項９】
前記電話機は、前記電話機識別情報及び前記オプションモジュール識別情報を当該電話機の起動処理時に、前記主装置に送信することを特徴とする請求項６〜８いずれかに記載のモジュール管理方法。
【請求項１０】
前記オプションモジュールは、前記電話機の入出力装置であることを特徴とする請求項６〜９いずれかに記載のモジュール管理方法。
【発明の詳細な説明】
【技術分野】
【０００１】
本発明は、電話システム及びモジュール管理方法に関し、特にオプションモジュールを拡張する場合の処理技術に関する。
【背景技術】
【０００２】
ボタンキット、ハンドセットやラインキー等を組み替えることが可能なボタン電話機が提案されている。かかるボタン電話機は、オプションモジュールを組み替えることによって、電話機の構成変更や機能拡張を行うことができる。
【０００３】
また、近年、ボタン電話機のＩＰ（internet protocol）化が進んでおり、通信回線により複数のボタン電話機が主装置とネットワークを介して接続された電話システムについて様々な技術が提案されている（例えば、特許文献１、２、３）。
【０００４】
特許文献１には、固定局でＰＳＩＤを受信し主装置へ格納することにより位置登録を行うボタン電話装置が開示されている。また、特許文献２には、表示部が主装置によって直接制御されるボタン電話装置が開示されている。さらに、特許文献３には、主装置と複数のＳＩＰ電話機がネットワーク接続されて構成されたボタン電話装置が開示されている。
しかしながら、これらの特許文献１〜３では、オプションモジュールの組み替えに関する技術については提案されていない。
【先行技術文献】
【特許文献】
【０００５】
【特許文献１】特開平０９−１２１３７９号公報
【特許文献２】特開２０００−２１７１３５号公報
【特許文献３】特開２００８−０１１３６６号公報
【発明の概要】
【発明が解決しようとする課題】
【０００６】
ボタン電話機を収容する電話システムにおいて新たにオプションモジュールを拡張する場合には、その度にボタン電話機本体の制御プログラムの変更が必要となる。この変更作業を人手により行うことは、煩わしく、不便であるという問題があった。
【０００７】
本発明は、このような問題点を解決するためになされたものであり、オプションモジュールの拡張を容易に実行することができる電話システム及びモジュール管理方法を提供することを目的とする。
【課題を解決するための手段】
【０００８】
本発明にかかる電話システムは、オプションモジュールを拡張可能な複数の電話機と、前記電話機と通信回線を介して接続された主装置とを備えた電話システムであって、前記電話機は、当該電話機を識別する電話機識別情報と、当該電話機に接続されたオプションモジュールを識別するオプションモジュール識別情報を、前記主装置に送信する手段を有し、前記主装置は、送信された前記電話機識別情報と、前記オプションモジュール識別情報に基づいて、当該電話機の構成及び機能を判定する手段と、判定結果に基づいて、当該電話機の構成及び機能に対応した制御プログラムに更新する手段と、前記電話機のオプションモジュールが処理を実行する場合に、当該オプションモジュール又は電話機本体から前記処理に応じて出力される信号を取得し、更新後の制御プログラムに基づいて、当該取得した信号を変換して、対応する電話機本体又はオプションモジュールに出力する手段とを有するものである。
【０００９】
本発明にかかるオプションモジュールの管理方法は、主装置に接続された電話機において拡張されるオプションモジュールの管理方法であって、前記主装置の制御プログラムを更新する場合に、前記主装置が、前記電話機を識別する電話機識別情報と、当該電話機に接続されたオプションモジュールを識別するオプションモジュール識別情報を取得するステップと、主装置が取得した前記電話機識別情報と、前記オプションモジュール識別情報に基づいて、当該電話機の構成及び機能を判定するステップと、判定結果に基づいて、当該電話機の構成及び機能に対応した制御プログラムに更新するステップと、前記電話機のオプションモジュールが処理を実行する場合に、前記主装置が当該オプションモジュール又は電話機本体から前記処理に応じて出力される信号を取得し、更新後の制御プログラムに基づいて、当該取得した信号を変換して、対応する電話機本体又はオプションモジュールに出力するステップとを備えたものである。
【発明の効果】
【００１０】
本発明により、オプションモジュールの拡張を容易に実行することができる電話システム及びモジュール管理方法を提供することができる。
【図面の簡単な説明】
【００１１】
【図１】発明の実施の形態にかかる電話システムの全体構成を示すブロック図である。
【図２】発明の実施の形態にかかる電話システムにおけるモジュール式電話機の概略構成を示すブロック図である。
【図３】発明の実施の形態にかかる電話システムの詳細な構成を示すブロック図である。
【図４】発明の実施の形態にかかる電話システムの詳細な構成を示すブロック図である。
【図５】発明の実施の形態にかかる電話システムの処理を示すシーケンス図である。
【図６】発明の実施の形態にかかる電話システムの処理を示すシーケンス図である。
【図７】発明の実施の形態にかかる電話システムの処理を示すシーケンス図である。
【発明を実施するための形態】
【００１２】
発明の実施の形態１．
以下、図面を参照して発明の実施の形態１について説明する。
まず、図１を用いて、本実施の形態１にかかる電話システムの構成について説明する。図１に示されるように、当該電話システムは、主装置１０と、複数の電話機２０を備えている。主装置１０と、複数の電話機２０は、相互に、ＬＡＮ（Local Area Network）等の通信回線３０によって通信可能に接続されている。
【００１３】
ここで、主装置１０は、複数の電話機２０を制御する制御装置である。主装置１０は、例えば、中央制御装置と、データベースと、ＬＡＮを収容するＬＡＮ収容インタフェースを備えている。
【００１４】
電話機２０は、ボタン電話機であり、オプションモジュールを拡張することができる。図２に、本実施の形態１にかかる電話機２０の構成例を示す。図２に示されるように、この電話機２０は、電話機本体２１と、一以上のオプションモジュール２２を備えている。
【００１５】
電話機本体２１は、電話機２０の基本的な機能を実現するための処理部である。また、オプションモジュール２２は、電話機オプションであり、例えば、ボタンキット、ハンドセット、ラインキー、ディスプレイ、スピーカーなどの入出力装置である。また、これらのオプションモジュール２２は、拡張、即ち組み換えが可能である。
【００１６】
図２（ａ）に示す電話機２０では、電話機本体２１に対してオプションモジュール２２ａが接続され、また、電話機本体２１内にオプションモジュール２２ｂが設けられている。また、図２（ｂ）に示す電話機２０では、さらに、電話機本体２１に対してオプションモジュール２２ｃが接続されている。
【００１７】
続いて、図３を用いて本実施の形態１にかかる電話システムにおける各構成について詳細に説明する。
【００１８】
図３に示されるように、主装置１０は、中央処理装置１０１と、通信インターフェース１０２と、データベース１０３を備えている。
【００１９】
ここで、中央処理装置１０１は、制御プログラムの命令の呼び出しを行うＣＰＵ（Central Processor Unit）と、制御データを格納するメモリと、タイマ等を有し、構成判定部１０１１を備えた制御装置である。構成判定部１０１１はデータベース１０３のデータを参照して電話機の機能及び構成を判定する。
【００２０】
通信インターフェース１０２は、通信回線３０を介して複数の電話機２０のそれぞれと通信を行うインターフェース回路である。本例における通信インターフェース１０２は、電話機本体２１から、識別情報であるＩＤを受信し、電話機本体２１に対して命令信号を送信する機能を有する。
【００２１】
データベース１０３は、通信インターフェース１０２と、電話機本体２１とオプションモジュール２２の識別情報ＩＤの組み合わせによって決定される電話機の構成と機能を特定するデータをリスト化して、格納している。
【００２２】
電話機本体２１は、中央処理装置２１１と、通信インターフェース２１２と、オプションインターフェース２１３を備えている。
【００２３】
中央処理装置２１１は、制御プログラムに基づく命令信号の解読、実行を行うＣＰＵとその命令信号を格納するメモリ、タイマなどを有する制御装置である。中央処理装置２１１は、さらに、ＩＤ格納部２１１１を備えている。ＩＤ格納部２１１１には、電話機本体２１の識別情報ＩＤ、即ち電話機２０の識別情報ＩＤが格納されている。
【００２４】
通信インターフェース２１２は、主装置１０に対して電話機本体２１の識別情報ＩＤ及びオプションモジュール２２ｅ，２２ｄの識別情報ＩＤまたは入力信号を送信し、また、主装置１０から送られてくる電話機本体２１及び各オプションモジュール２２の機能を実行させる命令信号を受信する。
【００２５】
オプションインターフェース２１３は、オプションモジュール２２ｄ，２２ｅからの識別情報ＩＤを受信し、主装置１０からの命令信号をモジュール２２ｄ，２２ｅに送信する。
【００２６】
オプションモジュール２２ｄは、中央処理装置２２１ｄ及びオプションインターフェース２２２ｄを備えている。中央処理装置２２１ｄは、制御プログラムに基づく命令信号の解読、実行を行うＣＰＵとその命令信号を格納するメモリ、タイマなどを有する制御装置である。中央処理装置２２１ｄは、ＩＤ格納部２２１１ｄを備えている。ＩＤ格納部２２１１ｄには、オプションモジュール２２ｄの識別情報ＩＤが格納されている。
【００２７】
オプションモジュール２２ｅは、中央処理装置２２１ｅ及びオプションインターフェース２２２ｅを備えている。中央処理装置２２１ｅは、制御プログラムに基づく命令信号の解読、実行を行うＣＰＵとその命令信号を格納するメモリ、タイマなどを有する制御装置である。中央処理装置２２１ｅは、ＩＤ格納部２２１１ｅを備えている。ＩＤ格納部２２１１ｅには、オプションモジュール２２ｅの識別情報ＩＤが格納されている。
【００２８】
なお、図３においては、主装置１０に接続されているのは電話機本体２１のみであるが、図４に示すように、オプションモジュール２２が電話機本体２１を介さずに、直接主装置１０と接続してもよい。この場合には、オプションモジュール２２の識別情報ＩＤまたは入力信号の送信及び主装置１０からの命令信号の受信は主装置１０とオプションモジュール２２の間で直接行われる。
【００２９】
次に、図５を用いて、本発明の実施の形態１にかかる電話システムの処理について説明する。まず、電話機本体２１の中央処理装置２１１は、起動時にオプションモジュール２２の接続の有無を確認する。接続されているモジュールＡ及びＢを検出した電話機本体２１の中央処理装置２１１は、オプションインターフェース２１３を介して接続されているオプションモジュールのすべての識別情報ＩＤを取得する（ステップＳ５０１）。
【００３０】
電話機本体２１の中央処理装置２１１は、取得したオプションモジュール２２の全ての識別情報ＩＤと電話機本体２１の識別情報ＩＤを主装置１０に通信インターフェース２１２を介して通知する（ステップＳ５０２）。
【００３１】
主装置１０の中央処理装置１０１は、電話機本体２１から電話機本体２１、オプションモジュールＡ及びＢの識別情報ＩＤを取得する。そして、構成判定部１０１１が、取得した識別情報ＩＤに基づいてデータベース１０３を参照し、電話機の機能及び構成を判定し、当該判定結果に基づき、当該電話機に対応した制御プログラムを設定することによって当該制御プログラムを更新する。
【００３２】
そして、主装置１０の中央処理装置１０１は、電話機本体２１への命令信号、オプションモジュールＡの機能及び構成に対応した命令信号Ａ、オプションモジュールＢの機能及び構成に対応した命令信号Ｂを、それぞれ電話機本体２１に送信する（ステップＳ５０３）。さらに、電話機本体２１の中央処理装置２１１は、命令信号Ａ及びＢを対応するオプションモジュールＡ及びＢへ送信する（ステップＳ５０４）。
【００３３】
当該命令信号を受信した電話機本体２１の中央処理装置２１１、オプションモジュールＡの中央処理装置及びオプションモジュールＢの中央処理装置は、当該命令信号に基づいた初期機能を実行する。
【００３４】
なお、図４で示したようにオプションモジュール２２が電話機本体２１を介さないで主装置１０と接続可能な場合の処理フローを図６に示す。図６に示されるように、起動した後に主装置１０の中央処理装置１０１が電話機本体２１、モジュールＡ及びＢの各識別情報ＩＤをそれぞれから取得する（ステップＳ６０１）。そして、主装置１０の構成判定部１０１１は、取得した識別情報ＩＤに基づいて、電話機本体２１及びモジュールＡ及びＢの構成及び機能を判断し、それに対応した命令信号を直接電話機本体２１及びモジュールＡ及びＢに送信する（ステップＳ６０２）。
【００３５】
電話機本体に接続されたオプションモジュールの構成が変更された場合には、上述したように、当該電話機の起動時に当該変更されたモジュールの識別情報ＩＤと電話機本体の識別情報ＩＤが主装置に送られ、構成変更後の当該電話機の構成及び機能を判定し、命令信号を送る主装置１０の制御プログラムが更新される。
【００３６】
また、モジュールＡに入力が与えられた場合の本発明の実施の形態１にかかる電話システムの処理について、図７を用いて説明する。モジュールＡに入力が与えられると、モジュールＡは、当該入力に対応した入力信号を電話機本体２１に出力する（ステップＳ７０１）。電話機本体２１は当該入力信号を主装置１０へと送信する（ステップＳ７０２）。
【００３７】
主装置１０の中央処理装置１０１は、当該入力信号に対応した機能を実行させるための制御プログラムから命令信号を呼び出し、通信インターフェース１０２を介して電話機本体２１に命令信号を送信する（ステップＳ７０３）。電話機本体２１の中央処理装置２１１は、命令信号Ａ及びＢを対応するモジュールＡ及びＢへ送信する（ステップＳ７０４）。
【００３８】
当該命令信号を受信した電話機本体２１、モジュールＡ及びＢは、当該命令信号に基づいて、当該入力信号に対応した電話機の機能を実行する。
【００３９】
なお、図５においては、モジュールＡに対して入力が与えられた場合を説明したが、入力がモジュールＢ又はモジュールＡ及びＢに与えられてもよく、上記と同様の処理が行われる。
【００４０】
さらに、図には示していないが、電話機本体２１、モジュールＡ及びＢが直接主装置１０と接続されている場合には、図６に示した処理と同様に、入力信号がモジュールから直接主装置１０に送信され、当該入力信号に応じた命令信号を電話機本体２１、モジュールＡ及びＢへ直接送信してもよい。
【００４１】
また、モジュールＡがスピーカー等の出力装置の場合には、まず、電話機本体２１から主装置１０に対して出力信号が送信される。主装置１０は、更新後の制御プログラムにより出力信号に応じた命令信号を呼び出し、電話機本体２１に送信する。電話機本体２１は、当該命令信号をモジュールＡに転送する。モジュールＡは、転送された命令信号を受信し、この命令信号に基づく出力処理を実行する。
【符号の説明】
【００４２】
１０  主装置
２０  電話機
２１  電話機本体
２２  オプションモジュール
３０  通信回線
１０１  中央処理装置
１０２  通信インターフェース
１０３  データベース
１０１１  構成判定部
２１１  中央処理装置
２１２  通信インターフェース
２１３  オプションインターフェース
２１１１  ＩＤ格納部
２２１  中央処理装置
２２２  オプションインターフェース
２２１１  ＩＤ格納部
【図１】
2011015002.tif 000003
【図２】
2011015002.tif 000004
【図３】
2011015002.tif 000005
【図４】
2011015002.tif 000006
【図５】
2011015002.tif 000007
【図６】
2011015002.tif 000008
【図７】
2011015002.tif 000009